(57)【要約】【課題】テレビ番組の音声を音楽形式ファイルとしてハードディスクに記録することもでき、また、ＭＰ３プレイヤや携帯電話機などの音声出力機器に接続可能なハードディスク装置を提供する。【解決手段】音声記録対応モードに設定されている場合、予約日の記録開始時刻になると、番組の映像音声データから音声データが抽出され、抽出された音声データは、所定の音楽形式の音声データに変換され、音楽形式ファイルとしてＨＤに記録される。映像音声／音声記録対応モードに設定されている場合、予約日の記録開始時刻になると、番組の映像音声データが通常にＨＤに記録され、この後、ＨＤから読み出された番組の映像音声データから音声データが抽出され、この抽出された音声データは、所定の音楽形式の音声データに変換され、この変換された音声データが音楽形式ファイルとしてＨＤに記録される。【選択図】図５
2009124281.tif 000002
【特許請求の範囲】
【請求項１】
ハードディスクに情報を記録したり、ハードディスクに記録された情報を再生したりするハードディスク装置において、
所定の音楽形式のファイルを再生可能または記録再生可能な構成を有する音声出力機器の音声入力端子にケーブルを介して接続可能な音声出力端子を設け、
更に、テレビジョン放送の番組をハードディスクに記録するときに、前記番組の音声データを所定の音楽形式の音声データに変換して音楽形式ファイルとして前記ハードディスクに記録させる音声記録対応モードと、前記番組の映像音声データを映像音声ファイルとして通常に前記ハードディスクに記録させると共に音声データを所定の音楽形式の音声データに変換して音楽形式ファイルとして前記ハードディスクに記録させる映像音声／音声記録対応モードとを追加したことを特徴とするハードディスク装置。
【請求項２】
前記番組の映像音声データから音声データを抽出する音声データ抽出手段と、前記抽出された音声データを所定の音楽形式の音声データに変換する音声データ変換手段と、前記変換された音声データを音楽形式ファイルとして前記ハードディスクに記録させたり前記番組の映像音声データを映像音声ファイルとして通常に前記ハードディスクに記録させたりする記録手段とを備え、
音声記録対応モードに設定されている場合、予約日の記録開始時刻になると、前記番組の映像音声データから前記音声抽出手段により音声データを抽出し、前記抽出された音声データを前記音声データ変換手段により所定の音楽形式の音声データに変換し、前記変換された音声データを音楽形式ファイルとして前記記録手段により前記ハードディスクに記録させ、
前記映像音声／音声記録対応モードに設定されている場合、予約日の記録開始時刻になると、前記番組の映像音声データを映像音声ファイルとして前記記録手段により通常に前記ハードディスクに記録させ、前記ハードディスクから読み出された前記番組の映像音声データから前記音声抽出手段により音声データを抽出し、前記抽出された音声データを前記音声データ変換手段により所定の音楽形式の音声データに変換し、前記変換された音声データを音楽形式ファイルとして前記記録手段により前記ハードディスクに記録させることを特徴とする請求項１に記載のハードディスク装置。
【請求項３】
前記所定の音楽形式とは、ＭＰ３音楽形式であることを特徴とする請求項１または請求項２に記載のハードディスク装置。
【請求項４】
前記音声出力機器の音声入力端子にケーブルを介して接続可能な音声出力端子は、ＵＳＢ（ユニバーサル・シリアル・バス）端子で構成したことを特徴とする請求項１に記載のハードディスク装置。
【発明の詳細な説明】
【技術分野】
【０００１】
本発明は、ハードディスクに情報を記録したり、ハードディスクに記録された情報を再生したりするハードディスク装置に関し、特に、音声出力機器に音楽形式ファイルを供給することもできるハードディスク装置に関する。
【背景技術】
【０００２】
近年、テレビジョン放送の番組を記録するのに大量のデータを記録できるハードディスク装置の普及が進んでいる。また、ＭＰ３プレイヤや携帯電話機などの音声出力機器の普及も急速に進んでいる。
【０００３】
ところで、ハードディスクに番組を記録予約により記録させる場合、従来のハードディスク装置では、次のような処理により番組がハードディスクに記録される。
【０００４】
先ず、ユーザはリモコンを操作し、記録予約画面をテレビジョン受像機のディスプレイ装置に表示させる。そして、ユーザは、その記録予約画面を見て、リモコンを操作して、記録したい番組に対する予約情報を入力して決定すると、当該番組の記録予約が完了する。
【０００５】
例えば、スペシャルドラマと言う番組名の番組を記録予約する場合、記録予約画面に対して、予約日、チャンネル、記録開始時刻、記録終了時刻、および記録モードをリモコンの操作により入力する。そして、その予約日の記録開始時刻になれば、スペシャルドラマの記録が開始され、記録終了時刻になれば、その記録が終了する。
【０００６】
このような処理により、ハードディスクにスペシャルドラマが記録された後、ユーザは、ハードディスクに記録されているスペシャルドラマを再生したい場合、リモコンを操作して、再生リスト画面をディスプレイ装置に表示させ、スペシャルドラマを選択して決定すると、ハードディスクからスペシャルドラマの映像音声ファイルが再生され、テレビジョン受像機からは、そのスペシャルドラマの映像および音声が出力される。
【特許文献１】特開２００６−２３６５４０号公報
【特許文献２】特開２００２−２３０８９０号公報
【発明の開示】
【発明が解決しようとする課題】
【０００７】
ところで、テレビジョン放送の番組には種々の番組があり、映像を観なくても、音声だけでも十分楽しめる番組がある。例えば、漫才や落語、その他のお笑い番組、あるいは音楽番組などは、映像を観なくても音声だけでも十分に楽しめる。
【０００８】
したがって、このような音声だけでも十分楽しめる番組の音声データだけをハードディスクに記録させ、その音声データだけをハードディスクから再生させ、この再生された音声データをＭＰ３プレイヤや携帯電話機などの音声出力機器に供給し、音声出力機器において音声を出力したり、音声出力機器で音声データを記録したりできるような音声データを出力できるハードディスク装置が望まれるが、従来のハードディスク装置では、そのような機能が備えられていないので、番組の音声データだけをＭＰ３プレイヤや携帯電話機などの音声出力機器に供給して、音声出力機器から音声を出力したり、音声出力機器で音声データを記録したりするようなことができないと言う課題があった。
【０００９】
なお、特許文献１の従来技術では、光ディスクに記録の音楽ファイルを所定の音楽圧縮形式のファイルに変換してハードディスクに保存し、ＵＳＢを介してＭＰ３プレイヤに転送するようにしているが、番組の音声データだけをＭＰ３プレイヤや携帯電話機などの音声出力機器に供給して、音声出力機器から音声を出力したり、音声出力機器で音声データを記録したりするようなことができる訳ではないので、前記課題を解決できるものではない。
【００１０】
特許文献２の従来技術では、パーソナルコンピュータのハードディスクに記録の音楽ファイルをＵＳＢインターフェイスを介して音響装置に転送し、再生するようにしているが、ハードディスク装置（ハードディスクレコーダ）についての開示がなく、前記課題を解決できるものではない。
【００１１】
本発明は、上記のような課題を解決するためになされたもので、テレビ番組の音声を音楽形式ファイルとしてハードディスクに記録することもでき、また、ＭＰ３プレイヤや携帯電話機などの音声出力機器に接続可能なハードディスク装置を提供することを目的とする。
【課題を解決するための手段】
【００１２】
上記目的を達成するために、請求項１の発明は、ハードディスクに情報を記録したり、ハードディスクに記録された情報を再生したりするハードディスク装置において、所定の音楽形式のファイルを再生可能または記録再生可能な構成を有する音声出力機器の音声入力端子にケーブルを介して接続可能な音声出力端子を設け、更に、テレビジョン放送の番組をハードディスクに記録するときに、前記番組の音声データを所定の音楽形式の音声データに変換して音楽形式ファイルとして前記ハードディスクに記録させる音声記録対応モードと、前記番組の映像音声データを映像音声ファイルとして通常に前記ハードディスクに記録させると共に音声データを所定の音楽形式の音声データに変換して音楽形式ファイルとして前記ハードディスクに記録させる映像音声／音声記録対応モードとを追加したことを特徴とするハードディスク装置を提供する。
【００１３】
この構成において、ハードディスク装置が音声記録対応モードに設定されると、テレビジョン放送の番組がハードディスクに記録されるときに、前記番組の音声データが所定の音楽形式の音声データに変換されて音楽形式ファイルとしてハードディスクに記録される。ハードディスク装置が映像音声／音声記録対応モードに設定されると、テレビジョン放送の番組がハードディスクに記録されるときに、前記番組の映像音声データが映像音声ファイルとして通常にハードディスクに記録されると共に、音声データが所定の音楽形式の音声データに変換されて音楽形式ファイルとしてハードディスクに記録される。記録された後、ハードディスク装置の音声出力端子が音声出力機器の音声入力端子にケーブルを介して接続されると、ハードディスクに記録された音楽形式ファイルが音声出力機器に転送でき、音声出力機器で音声が出力でき、また、記録も可能な音声出力機器であった場合には、前記音楽形式ファイルを記録させることができる。
【００１４】
この構成によれば、テレビ番組の音声を所定の音楽形式ファイルとしてハードディスクに記録することもできるようになり、また、所定の音楽形式ファイルを再生可能または記録再生可能な構成を有する音声出力機器の音声入力端子にケーブルを介して接続可能な音声出力端子を設けたことにより、ハードディスク装置から出力された番組の音声の音楽形式ファイルを音声出力機器に転送でき、これにより、音声出力機器に番組の音声の音楽形式ファイルを再生させることができ、また、音声出力機器が記録機能を有している場合、音声出力機器に前記音声形式ファイルを記録させることができる。
【００１５】
したがって、ハードディスク装置に音声出力機器を接続した場合、漫才や落語、その他のお笑い番組、あるいは音楽番組などの音声を音声出力機器から出力できる。また、音声出力機器が記録機能も有している場合には、音声出力機器は、漫才や落語、その他のお笑い番組、あるいは音楽番組などを記録でき、再生時には、漫才や落語、その他のお笑い番組、あるいは音楽番組などの音声を、手軽に楽しむことができる。
【００１６】
請求項２の発明では、請求項１の発明において、前記番組の映像音声データから音声データを抽出する音声データ抽出手段と、前記抽出された音声データを所定の音楽形式の音声データに変換する音声データ変換手段と、前記変換された音声データを音楽形式ファイルとして前記ハードディスクに記録させたり前記番組の映像音声データを通常に前記ハードディスクに記録させたりする記録手段とを備え、音声記録対応モードに設定されている場合、予約日の記録開始時刻になると、前記番組の映像音声データから前記音声抽出手段により音声データを抽出し、前記抽出された音声データを前記音声データ変換手段により所定の音楽形式の音声データに変換し、前記変換された音声データを音楽形式ファイルとして前記記録手段により前記ハードディスクに記録させ、前記映像音声／音声記録対応モードに設定されている場合、予約日の記録開始時刻になると、前記番組の映像音声データを映像音声ファイルとして前記記録手段により通常に前記ハードディスクに記録させ、前記ハードディスクから読み出された前記番組の映像音声データから前記音声抽出手段により音声データを抽出し、前記抽出された音声データを前記音声データ変換手段により所定の音楽形式の音声データに変換し、前記変換された音声データを音楽形式ファイルとして前記記録手段により前記ハードディスクに記録させることを特徴とする。
【００１７】
この構成において、音声記録対応モードに設定されている場合、予約日の記録開始時刻になると、番組の映像音声データから音声データが抽出され、この抽出された音声データは、所定の音楽形式の音声データに変換され、次に、変換された音声データは、音楽形式ファイルとしてハードディスクに記録される。
【００１８】
映像音声／音声記録対応モードに設定されている場合、予約日の記録開始時刻になると、番組の映像音声データが映像音声ファイルとして通常にハードディスクに記録され、ハードディスクから読み出された番組の映像音声データから音声データが抽出され、この抽出された音声データは、所定の音楽形式の音声データに変換され、この変換された音声データが音楽形式ファイルとしてハードディスクに記録される。
【００１９】
この構成によれば、音声記録対応モードに設定されている場合、番組の音声データのみを音楽形式ファイルでハードディスクに記録できるようになる。また、映像音声／音声記録対応モードに設定されている場合、番組の映像音声データを映像音声ファイルとして通常にハードディスクに記録できると共に、番組の音声データのみを音楽形式ファイルでハードディスクに記録できるようになる。
【００２０】
請求項３の発明では、請求項１または請求項２の発明において、前記所定の音楽形式とは、ＭＰ３音楽形式であるので、ハードディスク装置にＭＰ３音楽形式の音声出力機器を接続すれば、番組の音声を音声出力機器で再生できたり記録できたりする。
【００２１】
請求項４の発明では、請求項１の発明において、音声出力機器の音声入力端子にケーブルを介して接続可能な音声出力端子は、ＵＳＢ（ユニバーサル・シリアル・バス）端子で構成したので、ＵＳＢ接続可能な音声出力機器であれば、この音声出力機器は、ハードディスクから再生された音楽形式ファイルを再生または記録することが可能になる。
【発明の効果】
【００２２】
以上のように本発明によれば、テレビ番組の音声を所定の音楽形式ファイルとしてハードディスクに記録することもできるようになり、また、所定の音楽形式のファイルを再生可能または記録再生可能な構成を有する音声出力機器の音声入力端子にケーブルを介して接続可能な音声出力端子を設けたことにより、ハードディスク装置から出力された番組の音声の音楽形式ファイルを音声出力機器に転送でき、これにより、音声出力機器に番組の音声の音楽形式ファイルを再生させたり、記録させたりすることができる。
【００２３】
したがって、ハードディスク装置に音声出力機器を接続した場合、漫才や落語、その他のお笑い番組、あるいは音楽番組などの音声を音声出力機器から出力できる。また、音声出力機器が記録機能も有している場合には、音声出力機器は、漫才や落語、その他のお笑い番組、あるいは音楽番組などを記録でき、再生時には、漫才や落語、その他のお笑い番組、あるいは音楽番組などの音声を、手軽に楽しむことができる。
【発明を実施するための最良の形態】
【００２４】
以下、添付図面を参照しつつ、本発明の実施の形態について説明する。図１は本発明の一実施形態に係るハードディスク装置の構成を示すブロック図である。
【００２５】
このハードディスク装置Ａは、アンテナａを介してアナログテレビジョン放送信号を受信して所望のアナログテレビジョン放送局のテレビジョン放送信号を選局するアナログチューナ１、このアナログチューナ１からの映像音声信号を復調する信号処理部２、アンテナａを介してデジタルテレビジョン放送信号を受信して所望のデジタルテレビジョン放送局のテレビジョン放送信号を選局するデジタルチューナ３、このデジタルチューナ３からの映像音声信号を復調する信号処理部４、信号処理部２または信号処理部３で復調された映像音声データをＭＰＥＧ方式で圧縮処理する圧縮処理部５、前記圧縮処理された映像音声データをハードディスク（ＨＤ）６に記録するＨＤＤ（ハードディスクドライブ）７、およびＨＤＤ７から読み出した映像音声データを元の映像音声データに復元する伸張処理部９を備えている。
【００２６】
また、このハードディスク装置Ａは、前記復元した映像音声データのうち映像データ（システムコントローラ１４からのメッセージデータがある場合はメッセージデータを重畳した映像データ）を表示可能な映像信号に変換してテレビジョン受像機Ｔのディスプレイ装置Ｔ１に供給するＯＳＤ（オンスクリーンディスプレイ）部１０、伸長処理部９で復元した映像音声データのうち音声データをデジタル信号からアナログ信号に変換してテレビジョン受像機ＴのスピーカＴ３に接続された音声出力装置Ｔ２に音声信号を供給するＤ／Ａ変換部１１、圧縮処理部５による圧縮処理時や伸張処理部９による伸張処理時に映像音声データを一時的に格納するＲＡＭ８、装置全体の動作を制御するシステムコントローラ１４、このシステムコントローラ１４に各種キー操作信号を入力する本体のキー入力部１３、リモコン１８からの赤外線の各種キー操作信号を受信するキー受信部１５、システムコントローラ１４の処理に必要なプログラムやデータなどが記録されたフラッシュＲＯＭ１２、音声信号を外部に出力するためのＵＳＢ出力端子１６、およびシステムコントローラ１４で処理された音声信号をＵＳＢ出力端子１６に供給するためのＵＳＢインターフェイス１７を備えている。音声出力端子としてのＵＳＢ出力端子１６には、ＵＳＢケーブルＫの一方の接続端子Ｋ１が接続され、他方の接続端子Ｋ２は、ＭＰ３プレイヤや携帯電話機などのような音声出力機器Ｂの音声入力端子Ｂ１に接続される。
【００２７】
アナログテレビジョン放送局では、例えば、地上アナログテレビジョン放送の場合、映像信号をＡＭ変調して送信すると共に、音声信号をＦＭ変調して送信している。したがって、アナログチューナ１は、アンテナａから供給されたアナログテレビジョン放送の電波から所望の周波数の信号を選択して中間周波数信号として出力し、信号処理部２は、その中間周波数信号を所定処理して映像信号と音声信号とに分離し、アナログ／デジタル変換して、映像データと音声データを出力する。
【００２８】
デジタルテレビジョン放送局では、例えば、地上デジタルテレビジョン放送の場合、ＭＰＥＧ（Moving Picture Experts Group）方式により、映像と音声とデータとの圧縮符号化を行う。そして、ＭＰＥＧの規定に従い、映像データと、音声データと、これらに付加される付加データをチャンネル毎およびデータ種類毎にパケット化し、時分割で多重化してトランスポートストリームと呼ばれるパケット列を生成する。次に、そのトランスポートストリームは、特定のユーザのみが視聴できるようにするためのスクランブル処理が施される。この後、スクランブル処理されたトランスポートストリームに対して、変調処理が施されて送信される。変調方式は、地上デジタルテレビジョン放送の場合、衛星デジタルテレビジョン放送とは異なり、山やビルなどによる反射波を考慮する必要があるため、マルチパスによる妨害に強いＯＦＤＭ（Orthogonal Frequency Division Multiplex）変調方式が用いられている。
【００２９】
したがって、デジタルチューナ３は、アンテナａから供給されたデジタルテレビジョン放送の電波から所望の周波数の信号を選択し、信号処理部４は、その信号に対して復調や誤り訂正などのＭＰＥＧデコード処理を施してトランスポートストリームを出力する。
【００３０】
システムコントローラ１４には、テレビジョン放送の番組をＨＤ６に記録するときに、前記番組の音声データを所定の音楽形式（例えばＭＰ３）の音声データに変換して音楽形式ファイルとしてＨＤ６に記録させる音声記録対応モードと、前記番組の映像音声データを映像音声ファイルとして通常にＨＤ６に記録させると共に音声データを所定の音楽形式の音声データに変換して音楽形式ファイルとしてＨＤ６に記録させる映像音声／音声記録対応モードとが追加されている。
【００３１】
また、システムコントローラ１４は、番組の映像音声データから音声データを抽出する音声データ抽出手段１４１と、前記抽出された音声データを所定の音楽形式（例えばＭＰ３）の音声データに変換する音声データ変換手段１４２と、前記変換された音声データをＨＤ６に記録させたり前記番組の映像音声データを通常にＨＤ６に記録させたりする記録手段１４３とを備えている。
【００３２】
したがって、システムコントローラ１４は、音声記録対応モードに設定されている場合、予約日の記録開始時刻になると、番組の映像音声データから音声抽出手段１４１により音声データを抽出し、前記抽出された音声データを音声データ変換手段１４２により所定の音楽形式（例えばＭＰ３）の音声データに変換し、前記変換された音声データを音楽形式ファイルとして記録手段１４３によりＨＤ６に記録させる。
【００３３】
また、システムコントローラ１４は、映像音声／音声記録対応モードに設定されている場合、予約日の記録開始時刻になると、番組の映像音声データを記録手段１４３により通常にＨＤ６に記録させ、ＨＤ６から読み出された前記番組の映像音声データから音声データを音声データ抽出手段１４１により抽出し、この抽出された音声データを音声データ変換手段１４２により所定の音楽形式（例えばＭＰ３）の音声データに変換し、この変換された音声データを音楽形式ファイルとして記録手段１４３によりＨＤ６に記録させる。
【００３４】
図２は本実施形態におけるハードディスク装置にＭＰ３プレイヤなどの音声出力機器がＵＳＢケーブルにより接続されている状態を簡略的に示す構成図である。図２において、ハードディスク装置Ａは、筐体２００を有し、この筐体２００の前面には、電源キー２０１、記録キー２０２、再生キー２０３、停止キー２０４、メニューキー２０５、表示部２０６、ＵＳＢ出力端子１６などが備えられている。ＵＳＢ出力端子１６には、ＵＳＢケーブルＫの一方端子が接続され、ＵＳＢケーブルＫの他方端子がＭＰ３プレイヤなどの音声出力機器Ｂの音声入力端子に接続されている。
【００３５】
図３は本実施形態において記録予約画面の一例を示す図である。図３に示すように記録予約画面３０には、当該番組を記録したい年月日を示す予約日、当該番組が放送される放送局のチャンネル、当該番組の記録開始時刻、当該番組の記録終了時刻、記録ビットレートに関係する記録モード、および記録対応モードの各項目が示されている。
【００３６】
記録対応モードとしては、当該番組の映像音声データを通常にＨＤ６に記録させる映像音声記録対応モードＭ１と、当該番組をＨＤ６に記録するときに、当該番組の音声データを所定の音楽形式（例えばＭＰ３）の音声データに変換して音楽形式ファイルとしてＨＤ６に記録させる音声記録対応モードＭ２と、当該番組の映像音声データを映像音声ファイルとして通常にＨＤ６に記録させると共に音声データを所定の音楽形式の音声データに変換して音楽形式ファイルとしてＨＤ６に記録させる映像音声／音声記録対応モードＭ３とがある。音声記録対応モードＭ２または映像音声／音声記録対応モードＭ３に設定されない場合は、映像音声記録対応モードＭ１に自動的に設定されるようになっている。つまり、記録予約画面３０がテレビジョン受像機Ｔのディスプレイ装置Ｔ１に表示されたとき、記録対応モードは、「ＭＩ」になっており、「Ｍ１」から「Ｍ２」または「Ｍ３」に変更することにより、「Ｍ２」または「Ｍ３」に設定される。
【００３７】
この記録予約画面３０の例では、１行目においては、予約日が２００７年１０月８日を示す「０７／１０／０８」、チャンネルが６チャンネルを示す「６」、記録開始時刻が午後９時を示す「ＰＭ０９：００」、記録終了時刻が午後１０時を示す「ＰＭ１０：００」、記録モードが例えば、ＸＰ，ＳＰ，ＬＰ，ＥＰのうち、ＳＰを示す「ＳＰ」、および記録対応モードが映像音声記録対応モードＭ１であることを示す「Ｍ１」が表示されている。
【００３８】
また、２行目においては、予約日が２００７年１０月１１日を示す「０７／１０／１１」、チャンネルが４チャンネルを示す「４」、記録開始時刻が午後６時を示す「ＰＭ０８：００」、記録終了時刻が午後９時を示す「ＰＭ０９：００」、記録モードがＬＰを示す「ＬＰ」、および記録対応モードが音声記録対応モードＭ２であることを示す「Ｍ２」が表示されている。
【００３９】
また、３行目においては、予約日が２００７年１０月１５日を示す「０７／１０／１５」、チャンネルが８チャンネルを示す「８」、記録開始時刻が午前１０時を示す「ＡＭ１０：００」、記録終了時刻が午前１１時を示す「ＡＭ１１：００」、記録モードがＸＰを示す「ＸＰ」、および記録対応モードが映像音声／音声記録対応モードＭ３であることを示す「Ｍ３」が表示されている。
【００４０】
１行目に予約されている番組は、映像および音声を記録させておきたい番組であり、ユーザの好みによっても異なるが、例えばドラマや映画などある。２行目に予約されている番組は、音声だけを記録させておきたい番組であり、ユーザの好みによっても異なるが、例えば、漫才や落語、その他のお笑い番組、あるいは音楽番組などがある。３行目に予約されている番組は、映像および音声を通常に記録させておき、且つ音声だけ別に記録させておきたい番組であり、ユーザの好みによっても異なるが、音楽番組などがある。ここでは、例えば、１行目に予約されている番組の番組名はスペシャルドラマとし、２行目に予約されている番組の番組名は落語ライブとし、３行目に予約されている番組の番組名はスーパーミュージックとする。
【００４１】
図４は本実施形態において再生リスト画面の一例を示す図である。図４において、再生リスト画面４０は、説明の都合上、３個の番組の再生リストが表示されているとする。再生リスト画面４０に示すように、タイトルＮｏ．１のスペシャルドラマを再生すると、記録対応モードがＭ１であるので、テレビジョン受像機Ｔ（図１参照）で映像および音声を出力することができる。タイトルＮｏ．２の落語ライブを再生すると、記録対応モードがＭ２であるので、外部接続の音声出力機器（ＭＰプレイヤ、音楽プレイヤ、携帯電話機など）Ｂ（図１参照）で音声のみを再生することができる。タイトルＮｏ．３のスーパーミュージックを再生すると、記録対応モードがＭ３であるので、映像および音声はテレビジョン受像機Ｔで出力でき、また、音声のみを音声出力機器Ｂから出力させることができる。
【００４２】
図５は本実施形態において所望の番組を記録予約して記録するまでの処理を説明するためのフローチャートである。このフローチャートおよび図１〜図４を参照して所望の番組を記録予約して記録するまでの処理を説明する。
【００４３】
先ず、ユーザはリモコン１８を操作し、記録予約画面３０をテレビジョン受像機Ｔのディスプレイ装置Ｔ１に表示させる。そして、ユーザは、記録予約画面３０を見て、リモコン１８を操作して記録したい番組に対する予約情報を入力し、決定すると、システムコントローラ１４は、番組の記録予約されたことを検知する（ステップＳ１）。
【００４４】
例えば、スペシャルドラマを記録予約する場合、記録予約画面３０に示すように、予約日が２００７年１０月８日を示す「０７／１０／０８」、チャンネルが６チャンネルを示す「６」、記録開始時刻が午後９時を示す「ＰＭ０９：００」、記録終了時刻が午後１０時を示す「ＰＭ１０：００」、および記録モードがＳＰを示す「ＳＰ」をリモコン１８の操作により入力する。なお、記録対応モードは、最初、映像音声記録対応モードＭ１であることを示す「Ｍ１」に設定されている。
【００４５】
また、例えば、落語ライブを記録予約する場合、記録予約画面３０に示すように、予約日が２００７年１０月１１日を示す「０７／１０／１１」、チャンネルが４チャンネルを示す「４」、記録開始時刻が午後８時を示す「ＰＭ０８：００」、記録終了時刻が午後９時を示す「ＰＭ０９：００」、記録モードがＬＰを示す「ＬＰ」、および記録対応モードが音声記録対応モードＭ２であることを示す「Ｍ２」をリモコン１８の操作により入力する。
【００４６】
また、例えば、スーパーミュージックを記録予約する場合、記録予約画面３０に示すように、予約日が２００７年１０月１５日を示す「０７／１０／１５」、チャンネルが８チャンネルを示す「８」、記録開始時刻が午前１０時を示す「ＡＭ１０：００」、記録終了時刻が午前１１時を示す「ＡＭ１１：００」、記録モードがＸＰを示す「ＸＰ」、および記録対応モードが映像音声／音声記録対応モードＭ３であることを示す「Ｍ３」をリモコン１８の操作により入力する。
【００４７】
そして、システムコントローラ１４は、図示しないタイマにより計時されている時刻が予約日の記録開始時刻になったことを検知すると（ステップＳ２）、映像音声記録対応モードであるか（ステップＳ３）、音声記録対応モードであるか（ステップＳ４）、それとも映像音声／音声記録対応モードであるか（ステップＳ５）を判別する。
【００４８】
システムコントローラ１４は、例えば、０７／１０／０８（２００７年１０月８日）のＰＭ０９：００になったことを検知し（ステップＳ２）、更に記録対応モードがＭ１であることを検知することにより、記録対応モードが映像音声記録対応モードＭ１であると判定し（ステップＳ３）、例えば、デジタルチューナ３をチャンネル６に選局設定し、ＨＤＤ７を記録動作させ、ＨＤ６に記録モードＳＰで当該番組（この場合、スペシャルドラマ）の映像音声データ、即ち信号処理部４で復調や誤り訂正などのＭＰＥＧデコード処理を施したトランスポートストリームを圧縮処理部５で圧縮して、当該番組の映像音声データを映像音声ファイルとしてＨＤ６に記録させる（ステップＳ６）。そして、システムコントローラ１４は、記録終了時刻ＰＭ１０：００になったことを検知すると（ステップＳ１２）、当該番組（この場合、スペシャルドラマ）の記録を終了させ、ＨＤ６のディスク管理領域に、タイトルＮｏ．として「１」、番組名として「スペシャルドラマ」、記録日として「０７／１０／０８」、および記録対応モードとして「Ｍ１」を記録させ、ＨＤＤ７の記録動作を停止させる。
【００４９】
また、システムコントローラ１４は、例えば、０７／１０／１１（２００７年１０月１１日）のＰＭ０８：００になったことを検知し（ステップＳ２）、更に記録対応モードがＭ２であることを検知することにより、記録対応モードが音声記録対応モードＭ２であると判定し（ステップＳ４）、例えば、デジタルチューナ３をチャンネル４に選局設定し、当該番組（この場合、落語ライブ）の音声データのみをＭＰ３音楽形式でＭＰ３音楽ファイルとしてＨＤ６に記録させる。
【００５０】
当該番組（この場合、落語ライブ）の音声データのみをＭＰ３音楽形式でＭＰ３音楽形式ファイルとしてＨＤ６に記録させるには、システムコントローラ１４の音声抽出手段は、信号処理部４で復調や誤り訂正などのＭＰＥＧデコード処理を施したトランスポートストリームから音声データを抽出する（ステップＳ７）。次に、システムコントローラ１４の音声データ変換手段は、前記抽出された音声データをＭＰ３音楽形式の音声データに変換し（ステップＳ８）、システムコントローラ１４の記録手段１４３は、ＨＤＤ７を記録動作させ、記録モードＬＰでＭＰ３音楽形式の音声データを当該番組のＭＰ３音楽ファイルとしてＨＤ６に記録させる（ステップＳ９）。そして、システムコントローラ１４は、記録終了時刻ＰＭ０９：００になったことを検知すると（ステップＳ１２）、当該番組（この場合、落語ライブ）の記録を終了させ、ＨＤ６のディスク管理領域に、タイトルＮｏ．として「２」、番組名として「落語ライブ」、記録日として「０７／１０／１１」、および記録対応モードとして「Ｍ２」を記録させ、ＨＤＤ７の記録動作を停止させる。
【００５１】
また、システムコントローラ１４は、例えば、０７／１０／１５（２００７年１０月１５日）のＡＭ１０：００になったことを検知し（ステップＳ２）、更に記録対応モードがＭ３であることを検知することにより、記録対応モードが映像音声／音声記録対応モードＭ３であると判定し（ステップＳ５）、例えば、デジタルチューナ３をチャンネル８に選局設定し、当該番組（この場合、スーパーミュージック）の映像音声データを映像音声ファイルとして通常にＨＤ６に記録させる（信号処理部４で復調や誤り訂正などのＭＰＥＧデコード処理を施したトランスポートストリームを圧縮処理部５で圧縮して記録させる）と共に、音声データをＭＰ３音楽形式でＭＰ３音楽ファイルとしてＨＤ６に記録させる。
【００５２】
当該番組（この場合、スーパーミュージック）の映像音声データを映像音声ファイルとして通常にＨＤ６に記録させると共に、音声データをＭＰ３音楽形式でＭＰ３音楽形式ファイルとしてＨＤ６に記録させるには、例えば、デジタルチューナ３をチャンネル８に選局設定し、ＨＤＤ７を記録動作させ、ＨＤ６に記録モードＸＰで当該番組（この場合、スーパーミュージック）の映像音声データ、即ち信号処理部４で復調や誤り訂正などのＭＰＥＧデコード処理を施したトランスポートストリームを圧縮処理部５で圧縮して記録させる（ステップＳ１０）。
【００５３】
次に、システムコントローラ１４は、ＨＤＤ７を再生動作させ、ＨＤ６から前記記録された映像音声データを読み出させ（ステップＳ１１）、システムコントローラ１４の音声抽出手段は、映像音声データから音声データを抽出する（ステップＳ７）。次に、システムコントローラ１４の音声データ変換手段は、前記抽出された音声データをＭＰ３音楽形式の音声データに変換し（ステップＳ８）、システムコントローラ１４の記録手段１４３は、ＨＤＤ７を記録動作させ、記録モードＸＰでＭＰ３音楽形式の音声データをＭＰ３音楽形式ファイルとしてＨＤ６に記録させる（ステップＳ９）。そして、システムコントローラ１４は、記録終了時刻ＡＭ１１：００になったことを検知すると（ステップＳ１２）、当該番組（この場合、スーパーミュージック）の記録を終了させ、ＨＤ６のディスク管理領域に、タイトルＮｏ．として「３」、番組名として「スーパーミュージック」、記録日として「０７／１０／１５」、および記録対応モードとして「Ｍ３」を記録する。
【００５４】
なお、記録対応モードが映像音声／音声記録対応モードＭ３である場合は、当該番組の映像および音声をテレビジョン受像機Ｔで出力したり、当該番組の音声のみを音声出力機器Ｂで出力したりできるように、映像音声出力または音声出力を選択できるように選択情報もＨＤ６のディスク管理領域に記録される。この選択情報によって、再生する前に映像音声出力または音声出力を選択するための選択画面を表示し、ユーザに映像音声出力または音声出力の選択を促す。
【００５５】
図６は本実施形態においてハードディスクに記録された番組を再生する場合の処理を説明するためのフローチャートである。このフローチャートおよび図１〜図４を参照してハードディスクに記録された番組を再生する場合の処理について説明する。
【００５６】
先ず、ユーザは、ＨＤ６に記録されている番組（タイトル）のうち再生したい番組を選択するため、再生リスト画面をディスプレイ装置Ｔ１に表示させるための再生リスト表示指示を、リモコン１８の操作によってシステムコントローラ１４に与えると（ステップＮ１）、システムコントローラ１４は、ＨＤＤ７を再生動作させ、ＨＤ６からディスク管理情報を読み出させ、このディスク管理情報に基づいて再生リスト画面データを作成し、この再生リスト画面データをＯＳＤ部１０のＯＳＤ処理を経てテレビジョン受像機Ｔのディスプレイ装置Ｔ１に供給することにより、ディスプレイ装置Ｔ１に、例えば図４に示すような再生リスト画面４０を表示させる（ステップＮ２）。
【００５７】
そして、ユーザは、ディスプレイ装置Ｔ１に表示された再生リスト画面４０を見ながらリモコン１８を操作して所望の番組名を選択して決定すると、システムコントローラ１４は、その番組名が選択・決定されたことを検知する（ステップＮ３）。例えば、スペシャルドラマが選択・決定されたことが検知されたとすると、システムコントローラ１４は、ＨＤＤ７を制御してＨＤ６のディスク管理領域からディスク管理情報を読み出させ、このディスク管理情報に含まれる記録対応モードが映像音声記録対応モードＭ１であることを検知することにより、スペシャルドラマのファイルが映像音声ファイルであると判定し（ステップＮ４）、ＨＤＤ７を制御してＨＤ６からスペシャルドラマの映像音声ファイルを再生させる（ステップＮ５）。そして、システムコントローラ１４は、そのスペシャルドラマの映像音声ファイルの再生が終了したことを検知すると（ステップＮ８）、スペシャルドラマの映像音声ファイルの再生に関する処理は終了する。
【００５８】
また、ステップＮ３において、落語ライブが選択・決定されたことが検知されたとすると、システムコントローラ１４は、ＨＤＤ７を制御してＨＤ６のディスク管理領域からディスク管理情報を読み出させ、このディスク管理情報に含まれる記録対応モードが音声記録対応モードＭ２であることを検知することにより、落語ライブのファイルがＭＰ３音楽ファイルであると判定し（ステップＮ６）、ＨＤＤ７を制御してＨＤ６から落語ライブのＭＰ３音楽ファイルを再生させる（ステップＮ７）。そして、システムコントローラ１４は、その落語ライブのＭＰ３音楽ファイルの再生が終了したことを検知すると（ステップＮ８）、落語ライブのＭＰ３音楽ファイルの再生に関する処理は終了する。
【００５９】
また、ステップＮ３において、スーパーミュージックが選択・決定されたことが検知されたとすると、システムコントローラ１４は、ＨＤＤ７を制御してＨＤ６のディスク管理領域からディスク管理情報を読み出させ、このディスク管理情報に含まれる記録対応モードが映像音声／音声記録対応モードＭ３であることを検知することにより、スーパーミュージックのファイルが映像音声ファイルであると判定すると共に、スーパーミュージックのファイルがＭＰ音楽ファイルであると判定すると（ステップＮ９）、前記ディスク管理情報に含まれる選択情報に基づいて選択画面（図示せず）をディスプレイ装置Ｔ１に表示させる（ステップＮ１０）。
【００６０】
そして、ユーザは、その選択画面を見て、リモコン１８を操作して、選択画面中の項目「映像音声出力」を選択して決定すると、システムコントローラ１４は、「映像音声出力」が選択されたことを検知し（ステップＮ１１）、ＨＤＤ７を制御してＨＤ６からスーパーミュージックの映像音声ファイルを再生させる（ステップＮ５）。そして、システムコントローラ１４は、そのスーパーミュージックの映像音声ファイルの再生が終了したことを検知すると（ステップＮ８）、スーパーミュージックの映像音声ファイルの再生に関する処理は終了する。
【００６１】
また、ユーザは、前記選択画面を見て、リモコン１８を操作して、選択画面中の項目「音声出力」を選択して決定すると、システムコントローラ１４は、「音声出力」が選択されたことを検知し（ステップＮ１２）、ＨＤＤ７を制御してＨＤ６からスーパーミュージックのＭＰ３音楽ファイルを再生させる（ステップＮ７）。そして、システムコントローラ１４は、そのスーパーミュージックのＭＰ３音楽ファイルの再生が終了したことを検知すると（ステップＮ８）、スーパーミュージックのＭＰ３音楽ファイルの再生に関する処理は終了する。
【００６２】
以上説明したように本実施形態によれば、テレビ番組の音声を音楽形式ファイルとしてＨＤ６に記録することもできるようになり、また、所定の音楽形式のファイルを再生可能または記録再生可能な構成を有する音声出力機器Ｂの音声入力端子Ｂ１にＵＳＢケーブルＫを介して接続可能なＵＳＢ端子１６を設けたことにより、ハードディスク装置Ａから出力された番組の音声の音楽形式ファイルを音声出力機器Ｂに転送でき、これにより、音声出力機器Ｂに番組の音声の音楽形式ファイルを、再生させたり、記録させたりすることができる。
【００６３】
したがって、ハードディスク装置Ａに音声出力機器Ｂを接続した場合、漫才や落語、その他のお笑い番組、あるいは音楽番組などの音声を音声出力機器Ｂから出力できる。また、音声出力機器Ｂが記録機能も有している場合には、音声出力機器Ｂは、漫才や落語、その他のお笑い番組、あるいは音楽番組などを記録でき、再生時には、漫才や落語、その他のお笑い番組、あるいは音楽番組などの音声を、手軽に楽しむことができる。
【産業上の利用可能性】
【００６４】
本発明は、ハードディスク装置に利用可能であり、番組の音声だけでも音楽形式ファイルとしてハードディスクに記録でき、音声出力機器を接続すれば、ハードディスクから再生された音楽形式ファイルを音声出力機器から音声として出力でき、また、音声出力機器が記録機能を有していれば、ハードディスクから再生された音楽形式ファイルを記録できる。
【図面の簡単な説明】
【００６５】
【図１】本発明の一実施形態に係るハードディスク装置の構成を示すブロック図である。
【図２】前記実施形態におけるハードディスク装置にＭＰ３プレイヤなどの音声出力機器がＵＳＢケーブルにより接続されている状態を簡略的に示す構成図である。
【図３】前記実施形態において記録予約画面の一例を示す図である。
【図４】前記実施形態において再生リスト画面の一例を示す図である。
【図５】前記実施形態において所望の番組を記録予約して記録するまでの処理を説明するためのフローチャートである。
【図６】前記実施形態においてハードディスクに記録された番組を再生する場合の処理を説明するためのフローチャートである。
【符号の説明】
【００６６】
Ａ    ハードディスク装置
Ｂ    音声出力機器
Ｋ    ＵＳＢケーブル
６    ＨＤ（ハードディスク）
１６    ＵＳＢ端子（音声出力端子）
１４１    音声データ抽出手段
１４２    音声データ変換手段
１４３    記録手段
【図１】
2009124281.tif 000003
【図２】
2009124281.tif 000004
【図３】
2009124281.tif 000005
【図４】
2009124281.tif 000006
【図５】
2009124281.tif 000007
【図６】
2009124281.tif 000008